【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
データを送信するデータ送信装置と通信回線を介して接続されるデータ受信装置であって、
前記データ送信装置からデータ及び操作指示を受信する通信手段と、
前記通信手段にて受信されるデータを出力手段で出力させる制御手段とを有し、
前記制御手段は、前記データ送信装置から所定の操作指示を受信した場合、前記データ送信装置からのデータを前記出力手段により出力するまでの遅延時間に基づいて、前記出力手段上でのデータ出力を静止させることを特徴とするデータ受信装置。
【請求項２】
前記制御手段は、前記所定の操作指示を受信した場合、前記出力手段上でのデータ出力を所定の時間、静止させることを特徴とする請求項１に記載のデータ受信装置。
【請求項３】
前記データ送信装置での画像データ処理に係る遅延時間、前記データ送信装置と当該データ受信装置との間におけるデータの送受信の処理に係る遅延時間、及び、当該データ受信装置での画像データ処理に係る遅延時間のうちの少なくとも何れか一つを含む遅延時間を計測する計測手段を更に有し、
前記制御手段は、前記計測手段により計測される遅延時間分、前記出力手段上でのデータ出力を静止させることを特徴とする請求項２に記載のデータ受信装置。
【請求項４】
前記所定の操作指示には、一時停止、巻き戻し及び早送りのうちの少なくとも何れか一つの操作指示が含まれることを特徴とする請求項１乃至３の何れか１項に記載のデータ受信装置。
【請求項５】
データを受信するデータ受信装置と通信回線を介して接続されるデータ送信装置であって、
記憶部からデータを読み出す読み出し手段と、
前記読み出し手段により読み出されるデータを前記データ受信装置に対して送信する通信手段とを有し、
前記読み出し手段は、操作手段による前記データ受信装置での出力手段上におけるデータの出力に係る操作を受け付けた場合、時間軸方向に所定の時間分、データの読み出し位置を移動させてデータを読み出すことを特徴とするデータ送信装置。
【請求項６】
前記読み出し手段は、一時停止の操作を受け付けた場合、時間軸方向に所定の時間分、データの読み出し位置を戻すことを特徴とする請求項５に記載のデータ送信装置。
【請求項７】
前記読み出し手段は、前記読み出し手段によるデータ読み出しが一時停止処理の状態の時に再生の操作を受け付けた場合、時間軸方向に所定の時間分、データの読み出し位置を戻してデータの読み出しを行うことを特徴とする請求項５又は６に記載のデータ送信装置。
【請求項８】
前記読み出し手段は、早送りの操作を受け付けた場合、時間軸方向に所定の時間分、データの読み出し位置を戻してデータの読み出しを行うことを特徴とする請求項５乃至７の何れか１項に記載のデータ送信装置。
【請求項９】
前記読み出し手段は、前記読み出し手段によるデータ読み出しが再生処理の状態の時に早送りの操作を受け付けた場合、時間軸方向に所定の時間分、データの読み出し位置を戻してデータの読み出しを行うことを特徴とする請求項５乃至８の何れか１項に記載のデータ送信装置。
【請求項１０】
前記読み出し手段は、巻き戻しの操作を受け付けた場合、時間軸方向に所定の時間分、データの読み出し位置を戻してデータの読み出しを行うことを特徴とする請求項５乃至９の何れか１項に記載のデータ送信装置。
【請求項１１】
前記読み出し手段は、前記読み出し手段によるデータ読み出しが再生処理の状態の時に巻き戻しの操作を受け付けた場合、時間軸方向に所定の時間分、進めてデータの読み出しを行うことを特徴とする請求項５乃至１０の何れか１項に記載のデータ送信装置。
【請求項１２】
前記所定の時間は、当該データ送信装置での画像データ処理に係る遅延時間、当該データ送信装置と前記データ受信装置との間におけるデータの送受信の処理に係る遅延時間、及び、前記データ受信装置での画像データ処理に係る遅延時間のうちの少なくとも何れか一つを含むことを特徴とする請求項５乃至１１の何れか１項に記載のデータ送信装置。
【請求項１３】
請求項１乃至４の何れか１項に記載のデータ受信装置、及び、請求項５乃至１２の何れか１項に記載のデータ送信装置を含むことを特徴とするデータ通信システム。
【請求項１４】
データを送信するデータ送信装置と通信回線を介して接続されるデータ受信装置の制御方法であって、
前記データ送信装置からデータ及び操作指示を受信する通信ステップと、
前記通信ステップにて受信されるデータを出力手段で出力させる制御ステップとを含み、
前記制御ステップでは、前記データ送信装置から所定の操作指示を受信した場合、前記データ送信装置からのデータを前記出力手段により出力するまでの遅延時間に基づいて、前記出力手段上でのデータ出力を静止させることを特徴とするデータ受信装置の制御方法。
【請求項１５】
データを受信するデータ受信装置と通信回線を介して接続されるデータ送信装置の制御方法であって、
記憶部からデータを読み出す読み出しステップと、
前記読み出しステップにより読み出されるデータを前記データ受信装置に対して送信する通信ステップとを含み、
前記読み出しステップでは、操作手段による前記データ受信装置での出力手段上におけるデータの出力に係る操作を受け付けた場合、時間軸方向に所定の時間分、データの読み出し位置を移動させてデータを読み出すことを特徴とするデータ送信装置の制御方法。
【請求項１６】
請求項１４に記載のデータ受信装置の制御方法をコンピュータに実行させるためのプログラム。
【請求項１７】
請求項１５に記載のデータ送信装置の制御方法をコンピュータに実行させるためのプログラム。
【請求項１８】
請求項１６又は１７に記載のプログラムを記録したコンピュータが読み取り可能な記憶媒体。
【手続補正２】
【補正対象書類名】明細書
【補正対象項目名】００１１
【補正方法】変更
【補正の内容】
【００１１】
本発明のデータ受信装置は、データを送信するデータ送信装置と通信回線を介して接続されるデータ受信装置であって、前記データ送信装置からデータ及び操作指示を受信する通信手段と、前記通信手段にて受信されるデータを出力手段で出力させる制御手段とを有し、前記制御手段は、前記データ送信装置から所定の操作指示を受信した場合、前記データ送信装置からのデータを前記出力手段により出力するまでの遅延時間に基づいて、前記出力手段上でのデータ出力を静止させることを特徴とする。
本発明のデータ送信装置は、データを受信するデータ受信装置と通信回線を介して接続されるデータ送信装置であって、記憶部からデータを読み出す読み出し手段と、前記読み出し手段により読み出されるデータを前記データ受信装置に対して送信する通信手段とを有し、前記読み出し手段は、操作手段による前記データ受信装置での出力手段上におけるデータの出力に係る操作を受け付けた場合、時間軸方向に所定の時間分、データの読み出し位置を移動させてデータを読み出すことを特徴とする。
本発明のデータ受信装置の制御方法は、データを送信するデータ送信装置と通信回線を介して接続されるデータ受信装置の制御方法であって、前記データ送信装置からデータ及び操作指示を受信する通信ステップと、前記通信ステップにて受信されるデータを出力手段で出力させる制御ステップとを含み、前記制御ステップでは、前記データ送信装置から所定の操作指示を受信した場合、前記データ送信装置からのデータを前記出力手段により出力するまでの遅延時間に基づいて、前記出力手段上でのデータ出力を静止させることを特徴とする。
本発明のデータ送信装置の制御方法は、データを受信するデータ受信装置と通信回線を介して接続されるデータ送信装置の制御方法であって、記憶部からデータを読み出す読み出しステップと、前記読み出しステップにより読み出されるデータを前記データ受信装置に対して送信する通信ステップとを含み、前記読み出しステップでは、操作手段による前記データ受信装置での出力手段上におけるデータの出力に係る操作を受け付けた場合、時間軸方向に所定の時間分、データの読み出し位置を移動させてデータを読み出すことを特徴とする。
本発明のプログラムの第１の態様は、前記データ受信装置の制御方法をコンピュータに実行させることを特徴とする。
本発明のプログラムの第２の態様は、前記データ送信装置の制御方法をコンピュータに実行させることを特徴とする。
本発明のコンピュータが読み取り可能な記録媒体は、前記本発明のプログラムの第１又は第２の態様を記録したことを特徴とする。
【手続補正３】
【補正対象書類名】明細書
【補正対象項目名】００１２
【補正方法】変更
【補正の内容】
【００１２】
本発明によれば、データ送信装置から一時停止、再生、早送り及び巻き戻し等の所定の操作指示を受信した場合、データ受信装置側での出力手段上でのデータ出力を静止させるように構成したので、データ受信装置側が操作に反応したこと、操作を行った時点で出力されていたデータを使用者が確認することができ、操作性を向上させることが可能となる。